(57)【要約】【課題】既にピンコンタクト又はソケットコンタクトを備えている既製の導電体のための差込みコネクタを改良して、取扱いが極めて簡単で、しかも構成部材の数が減じられている差込みコネクタを提供する。【解決手段】個別導電体４６を備えたピンコンタクト又はソケットコンタクト４０が、保持体３０に沿って方向付けられていて半分開放されたコンタクト室３１に挿入され、保持体が、該保持体を取り囲むコネクタスリーブ３に挿入され、該コネクタスリーブが、第１のコネクタ部分１０と第２のコネクタ部分１５とから形成されていて、両コネクタ部分が、両側において開放している保持スリーブ２０上に配置されており、保持体３０のコンタクト室３１内において方向付けられたピンコンタクト又はソケットコンタクト４０が、保持スリーブ内に相応に配置された長手方向リブ２４を用いて固定されている。【選択図】図１
2008130556.tif 000002
【特許請求の範囲】
【請求項１】
一端が既にピンコンタクト又はソケットコンタクトと堅く結合されている多芯の個別導電体を接続するための差込みコネクタであって、個別導電体（４６）を備えたピンコンタクト又はソケットコンタクト（４０）が、保持体（３０）に沿って方向付けられていて半分開放されたコンタクト室（３１）に挿入されており、
保持体（３０）が、該保持体（３０）を取り囲むコネクタスリーブ（３）に挿入されていて、該コネクタスリーブ（３）が、第１のコネクタ部分（１０）と第２のコネクタ部分（１５）とから形成されていて、両コネクタ部分（１０，１５）が、両側において開放している保持スリーブ（２０）の上に配置されており、
保持体（３０）のコンタクト室（３１）内において方向付けられたピンコンタクト又はソケットコンタクト（４０）が、保持スリーブ（２０）内に相応に配置された長手方向リブ（２４）を用いて固定されていることを特徴とする、導電体用の差込みコネクタ。
【請求項２】
コネクタスリーブ（３）が２部分から構成されていて、差込み側を向いた第１のコネクタ部分（１０）が、保持スリーブ（２０）の上で自由に回転可能であり、かつカラー（２１）を用いて保持されており、ケーブル接続側を向いた第２のコネクタ部分（１５）が保持スリーブ（２０）と不動に堅く結合されている、請求項１記載の差込みコネクタ。
【請求項３】
保持スリーブ（２０）が、内方に向かって突出していて軸方向に延在する隆起した長手方向リブ（２４）を有している、請求項１又は２記載の差込みコネクタ。
【請求項４】
保持体（３０）がガイド溝（３３）を有していて、該ガイド溝（３３）が位置決めのために、保持スリーブ（２０）に設けられていて軸方向に方向付けられたリブ（２３）と係合している、請求項１から３までのいずれか１項記載の差込みコネクタ。
【請求項５】
保持体（３０）の周りに円形に配置されたコンタクト室（３１）が、着色されたマーキングを有している、請求項１から４までのいずれか１項記載の差込みコネクタ。
【請求項６】
電気的なコンタクト（４０）が、該コンタクトに一体成形された位置決め突出部（４２）を用いて、コンタクト室（３１）における位置決め切欠き（３２）内において位置決めされている、請求項１から５までのいずれか１項記載の差込みコネクタ。
【発明の詳細な説明】
【技術分野】
【０００１】
本発明は、一端が既にピンコンタクト又はソケットコンタクトと堅く結合されている多芯の個別導電体を接続するための差込みコネクタに関する。
【背景技術】
【０００２】
このような形式の差込みコネクタは、既にピンコンタクト又はソケットコンタクトを一端に備えたいわば既製の導電体を用いて、組立て時における作業を著しく容易にする。
【０００３】
従来の技術
ＤＥ２０２００６０００３３６Ｕ１に基づいて公知の、簡単化されたケーブルガイドを備えた差込みコネクタでは、同様に導電体が、ピンコンタクト又はソケットコンタクトと結合されていて、円筒形のベース体の半分開放した室に挿入されている。
【０００４】
またＤＥ２０２００５０１７９８１Ｕ１には、ケーブル素線における電気的なコンタクトのために用いられる、コンタクト保持体を備えた電気的な差込みコネクタのためのコンタクト保持装置が開示されており、この場合絶縁体の一部である絶縁スリーブは、電気的なコンタクトのために端面側に貫通孔を有している。
【０００５】
このような公知形式の差込みコネクタでは、常に固定スリーブは、コンタクトを貫通させるために必要な孔を備えておかなくてはならない、という欠点がある。
【特許文献１】ＤＥ２０２００６０００３３６Ｕ１
【特許文献２】ＤＥ２０２００５０１７９８１Ｕ１
【発明の開示】
【発明が解決しようとする課題】
【０００６】
ゆえに本発明の課題は、既にピンコンタクト又はソケットコンタクトを備えている既製の導電体のための差込みコネクタを改良して、取扱いが極めて簡単で、しかも構成部材の数が減じられている差込みコネクタを提供することである。
【課題を解決するための手段】
【０００７】
この課題を解決するために本発明の構成では、冒頭に述べた形式の差込みコネクタにおいて、個別導電体を備えたピンコンタクト又はソケットコンタクトが、保持体に沿って方向付けられていて半分開放されたコンタクト室に挿入されており、
保持体が、該保持体を取り囲むコネクタスリーブに挿入されていて、該コネクタスリーブが、第１のコネクタ部分と第２のコネクタ部分とから形成されていて、両コネクタ部分が、両側において開放している保持スリーブ上に配置されており、
保持体のコンタクト室内において方向付けられたピンコンタクト又はソケットコンタクトが、保持スリーブ内に相応に配置された長手方向リブを用いて固定されているようにした。
【０００８】
本発明の別の有利な構成は、請求項２〜６に記載されている。
【発明の効果】
【０００９】
本発明によって得られる利点としては特に次のことがある。すなわち本発明による差込みコネクタでは、通常このような構造形式のために必要である、絶縁性のコネクタハウジングにおける貫通孔を省くことができ、通常は、このような貫通孔を通して、ケーブル素線に接続されたピンコンタクト又はソケットコンタクトの差込み側を差し込まなければならない。
【００１０】
本発明による差込みコネクタは、丸形差込みコネクタもしくはピン端子コネクタ（Rundsteckverbinder）として形成されていて、軸方向に配置されていて半分開放したコンタクト室を内部に備えた保持体を有しており、これらのコンタクト室の中にピンコンタクト又はソケットコンタクトが有利な形式で挿入される。
【００１１】
次いで保持体はコネクタスリーブ内に挿入され、このコネクタスリーブは、第１のコネクタ部分と第２のコネクタ部分とを備えた保持スリーブから形成されている。次いでコネクタスリーブは汎用の押圧ねじを用いてねじ結合され、これによって電気ケーブルは固定される。
【００１２】
個別導電体の周壁の直径が、ピンコンタクト又はソケットコンタクトの直径に比べて幾分大きいことに基づいて、差込み側の端部はコネクタスリーブの内部における固定時に有利な形式で中心に向かって方向付けられる。これによって差込み動作時には常にある程度の圧力が、対応コネクタにおけるコンタクトに加えられる。
【００１３】
使用例に応じてコネクタスリーブは、導電性の金属製材料から製造することも又は非導電性の材料から製造することもできる。
【発明を実施するための最良の形態】
【００１４】
次に図面を参照しながら本発明の実施の形態を説明する。
【００１５】
図１に分解図で示されている差込みコネクタ１は、コネクタスリーブ３と保持体３０と、滑りリング９を備えたシール挿入体７と、プッシャもしくは押圧ねじ５とから形成されている。
【００１６】
コネクタスリーブ３はコネクタ部分１０，１５から成っており、これらのコネクタ部分１０，１５は内側に位置する保持スリーブ２０に装着されている。
【００１７】
コネクタスリーブ３に螺合される押圧ねじ５を用いて、シール挿入体７の内部に押し込まれていて複数の個別導電体を備えた電気ケーブル４４が固定される。
【００１８】
シール挿入体７に被せ嵌められた滑りリング９は、シールド（図示せず）がスリット８の内部で一つにまとめられて金属製の滑りリング９と接触接続し、滑りリング９がシールド電位を導電性の押圧ねじ５とコネクタスリーブ３とを介して対応コンタクトへとさらに導く場合に、シールドされたケーブルのシールド電位を引き受けるために設けられている。
【００１９】
付加的に、押圧ねじ５とコネクタ部分１５との螺合部をシールするために、カラー６にゴムシール部材１９が設けられている。
【００２０】
保持体３０においては、それぞれ個別導電体４６と圧着接続（vercrimpen）されたピンコンタクト又はソケットコンタクト４０が、コンタクト室３１内に挿入されている。
【００２１】
図２には、コネクタスリーブ３の内部に受容される保持体３０が単独で示されている。この保持体３０は円筒形の部材として形成されていて、異なった２つの直径３５，３６と軸方向に延びる４つのコンタクト室３１とを備えており、これら４つのコンタクト室３１は円形にかつ均一に互いに間隔をおいて配置されている。
【００２２】
半分開放している長手方向に延びるコンタクト室３１はその直径を、受容される個別導電体４６の外装に、もしくは該個別導電体４６に圧着接続されるピンコンタクト又はソケットコンタクト４０に合わせられており、その結果ピンコンタクト又はソケットコンタクト４０は組立て時に、保持体３０がコネクタスリーブ３の保持スリーブ２０に挿入されるまで、少なくとも一時的にコンタクト室３１内に保持される。
【００２３】
ピンコンタクト又はソケットコンタクト４０の正確な配置のために、各コンタクト室３１には位置決め切欠き３２が設けられており、これらの位置決め切欠き３２には、ピンコンタクト又はソケットコンタクト４０に相応に一体成形された位置決め突出部４２が挿入可能である。
【００２４】
図３には、２つのコネクタ部分１０，１５を備えた金属製のコネクタスリーブ３が断面図で示されており、この場合２つのコネクタ部分１０，１５は相対的に回動可能に、非導電性の保持スリーブ２０上に配置されている。接続側におけるコネクタ部分１５が保持スリーブ２０に堅く結合されているのに対して、差込み側に位置するコネクタ部分１０は保持スリーブ２０に回転可能に、しかしながらカラー２１によって保持スリーブ２０に紛失不能に保持されている。
【００２５】
両コネクタ部分１０，１５は雄ねじ山１２，１７と、刻み目を付けられたカラー１１，２１とを有している。
【００２６】
差込み側における雄ねじ山１２が対応コネクタとの結合のために設けられているのに対して、雄ねじ山１７は押圧ねじ５を固定するために設けられている。
【００２７】
押圧ねじ５との螺合時に弾性的なシール挿入体７は、押圧ねじ５の内壁に押し付けられ、この際に、シール挿入体７内を延びている電気的なケーブル４４は摩擦力結合式（kraftschluessig）に負荷され、差込みコネクタを環境条件に対して保護する。
【００２８】
さらに弾性的なシール挿入体７には、４つの短い一体成形部が設けられており、これらの一体成形部は、保持スリーブ２０に設けられた切欠き２９と係合しているので、コネクタスリーブ３における押圧ねじ５の螺合時に、シール挿入体７はコネクタスリーブ３に対して回動不能に固定されている。
【００２９】
保持スリーブ２０の内壁には４つの長手方向リブ２４が設けられており、図面にはそのうちの２つの長手方向リブ２４が示されている。これらの長手方向リブ２４を用いてピンコンタクト又はソケットコンタクト４０はコネクタ組立て時に、保持体３０が保持スリーブ２０に挿入された場合、つまり保持スリーブ２０の両ストッパ縁部２８と保持体３０のストッパ縁部３４とが互いに接触するまで、挿入された場合に、位置正確にコンタクト室３１内において固定される。
【００３０】
図示の実施例では保持スリーブ２０の上１／３のところで始まっている長手方向リブ２４は、電気的なコンタクトの位置決め開始のために斜めに成形されている。
【００３１】
保持スリーブ２０の差込み領域における別の長手方向リブ２７は、相応な対応コネクタとの極性付与のために設けられている。
【００３２】
さらに電気的なコンタクト４０の差し込み側の端部は、導電体の外装直径が電気的なコンタクト４０の本来の直径に比べて大きいことに基づいて、互いに平行に延びるコンタクト室３１の内部において、中心に向かって幾分斜めに延びるように方向付けられており、このような構成は、ピンコンタクト又はソケットコンタクト４０の接触接続特性に対して極めてポジティブな影響を及ぼす。
【図面の簡単な説明】
【００３３】
【図１】差込みコネクタを電気ケーブルと共に、分解して示す図である。
【図２】一部を破断して保持体を個別に示す斜視図である。
【図３】差込みコネクタスリーブを断面して示す図である。
【符号の説明】
【００３４】
１  差込みコネクタ、  ３  コネクタスリーブ、  ５  押圧ねじ、  ７  シールエレメント、  ８  スリット、  ９  滑りリング、  １０  第１のコネクタ部分、  １１  カラー、  １２  雄ねじ山、  １５  第２のコネクタ部分、  １６  カラー、  １７  雄ねじ山、  １９  ゴムリングシール部材、  ２０  保持スリーブ、  ２１  カラー、  ２２  貫通孔、  ２３  リブ、  ２４  長手方向リブ、  ２５  内径、  ２６  内径、  ２７  長手方向リブ、  ２８  ストッパ縁部、  ２９  切欠き、  ３０  保持体、  ３１  コンタクト室、  ３２  位置決め切欠き、  ３３  ガイド溝、  ３４  ストッパ縁部、  ３５  直径、  ３６  直径、  ４０  ピンコンタクト又はソケットコンタクト、  ４２  位置決め突出部、  ４４  ケーブル、  ４６  導電体
【図１】
2008130556.tif 000003
【図２】
2008130556.tif 000004
【図３】
2008130556.tif 000005